(57)【要約】      （修正有）【課題】既設の杭を地中から簡単に引き抜き可能であり、誰もが簡単に操作可能な既設杭の引き抜き器具を提供する。【解決手段】引き抜き器具１Ａが、既設杭の手前側に当接する第１の当接部３２Ａと、既設杭の後ろ側に当接する第２の当接部３８Ａと、を備える引き抜き部２０Ａを有し、第１の当接部３２Ａが滑り止め４４Ａを備え、第２の当接部３８Ａが滑り止め４４Ｂを備え、滑り止め４４Ａが第２の当接部３８Ａ側を向き、滑り止め４４Ｂが第１の当接部３２Ａ側を向き、引き抜き部２０Ａの第１の当接部３２Ａ側部分が、鉛直面内を回動可能に主軸１０の先端側に軸止され、主軸１０の中間部が、脚５０により支承されている。【選択図】図１
0003152843.tif 000002
【実用新案登録請求の範囲】
【請求項１】
地中に打設されている杭を引き抜く際に使用する既設杭の引き抜き器具であって、
引き抜こうとする既設杭の手前側に当接する第１の当接部と、引き抜こうとする既設杭の後ろ側に当接する第２の当接部と、を備える引き抜き部を有し、
前記第１の当接部と前記第２の当接部とにおいて、少なくともいずれか一方が、他方に対向して形成された滑り止めを備えており、
前記引き抜き部の前記第１の当接部側部分が、鉛直面内を回動可能に主軸の先端側に軸止されており、
前記主軸の中間部が、脚により支承されていることを特徴とする既設杭の引き抜き器具。
【請求項２】
前記滑り止めが、引き抜こうとする既設杭の表面に食い込み可能な突出体であることを特徴とする請求項１に記載の既設杭の引き抜き器具。
【請求項３】
前記滑り止めが、引き抜こうとする既設杭の表面を押圧可能な押圧体であることを特徴とする請求項１に記載の既設杭の引き抜き器具。
【請求項４】
前記第１の当接部と前記第２の当接部とが、それぞれ滑り止めを備えており、一方の滑り止めが、引き抜こうとする既設杭の表面に食い込み可能な突出体であり、他方の滑り止めが、引き抜こうとする既設杭の表面を押圧可能な押圧体であることを特徴とする請求項１に記載の既設杭の引き抜き器具。
【請求項５】
前記脚が、その末端側に車輪を備えていることを特徴とする請求項１から請求項４のうちのいずれかの請求項に記載の既設杭の引き抜き器具。
【請求項６】
前記主軸が、その末端側に操作レバーを備えており、
連結部材が、前記引き抜き部を引き寄せ可能又は押し出し可能に、前記操作レバーと、前記引き抜き部の前記第１の当接部側部分と、を連結していることを特徴とする請求項１から請求項５のうちのいずれかの請求項に記載の既設杭の引き抜き器具。
【考案の詳細な説明】
【技術分野】
【０００１】
地中に打設されている杭を引き抜く際に使用する既設杭の引き抜き器具に関する。
【背景技術】
【０００２】
日常の様々な場面において、杭を土中に打設することが行われている。例えば、土地の境界等に柵を設置しようとする場合、杭を打設し、打設した杭同士の間に柵となる鉄線や横木を架け渡す。また、支えを必要とする農作物を育てる畑においては、杭を打設し、打設した杭同士の間に鉄線や横木を架け渡し、架け渡した鉄線や横木により農作物の茎やつる等を支承する。
【０００３】
柵を一時的に設置した場合、柵が不要になれば、柵を撤去する。この際、地中から杭を引き抜く。また、農作物の収穫が終われば、他の作物を植えるために、畑から杭を引き抜く。
杭を打設してから時間が経過すると、杭の周辺の土が固く締まってくる。このため、杭を引き抜く作業が困難化しやすい。また、杭が倒れることを防止するために、杭の周辺の土を踏み固めたり突き固めたりすることがよく行われる。そのような場合にも、杭を引き抜く作業が困難化しやすい。
【０００４】
これまでに、既設の杭を地中から引き抜くための技術が数多く提唱されている。既設の杭を地中から引き抜くための方法の一例を以下に示す（特許文献１を参照）。
撤去対象となる既設杭の周囲において、先端部分に超高圧水噴射口を備えた噴射ロッドを地盤中に挿入する。噴射ロッドの貫入過程又は引上げ過程で超高圧水を噴射し、パネル状に地盤を切削する。この工程を繰り返すことにより、既設杭の全周又はその大部分を囲むように多角形状の縁切り面を形成し、前記既設杭を引抜いて撤去する。
【先行技術文献】
【特許文献】
【０００５】
【特許文献１】特開２００４−２１８３７８号公報
【考案の概要】
【考案が解決しようとする課題】
【０００６】
上記した方法を用いて既設の杭を地中から引き抜くためには、超高圧水を噴射するためのポンプやその動力源が必要である。ポンプやその動力源を簡単に手当てできない場合には、シャベルで杭の周囲を掘る等して人の力で杭を引き抜かざるを得なくなってしまう。例えば、若い労働力が不足している農家が杭を畑から引き抜く場合、このような作業によりもたらされる農家への負担は極めて大きい。
本考案は、上記問題を解決するものであり、その目的とするところは、既設の杭を地中から簡単に引き抜くことができ、誰もが簡単に操作可能である既設杭の引き抜き器具を提供することである。
【課題を解決するための手段】
【０００７】
本考案は、その課題を解決するために以下のような構成をとる。請求項１の考案に係る既設杭の引き抜き器具は、地中に打設されている杭を引き抜く際に使用する既設杭の引き抜き器具であって、引き抜こうとする既設杭の手前側に当接する第１の当接部と、引き抜こうとする既設杭の後ろ側に当接する第２の当接部と、を備える引き抜き部を有し、前記第１の当接部と前記第２の当接部とにおいて、少なくともいずれか一方が、他方に対向して形成された滑り止めを備えており、前記引き抜き部の前記第１の当接部側部分が、鉛直面内を回動可能に主軸の先端側に軸止されており、前記主軸の中間部が、脚により支承されている。
【０００８】
引き抜こうとする既設杭を第１の当接部と第２の当接部との間に入れ、第１の当接部の滑り止めか、あるいは、第２の当接部の滑り止めを、既設杭の表面に当てる。そして、脚の末端を地面に当てて、主軸の末端側を押し下げる。主軸の末端側を押し下げると、脚の付け根が支点となり、主軸の先端が上方に動く。主軸の先端が上方に動くと、引き抜き部が、引き抜き部の第１の当接部側部分の軸止位置を中心として、鉛直面内を回動する。そして、第１の当接部が既設杭の手前側に当接し、第２の当接部が既設杭の後ろ側に当接して、既設杭が第１の当接部と第２の当接部との間に挟まれる。さらに主軸の末端側を押し下げると、既設杭は、第１の当接部と第２の当接部との間にしっかりと挟まれることになり、引き抜き部から上向きの力を受け、地中から引き抜かれる。
【０００９】
なお、主軸の中心軸線と、主軸を支承する脚の中心軸線と、を含む仮想面を鉛直面と呼ぶこととする。
第１の当接部と第２の当接部とにおいて、少なくともいずれか一方が、他方に対向して形成された滑り止めを有し、既設杭にこの滑り止めが当接する。これにより、第１の当接部と第２の当接部との間で既設杭が滑ってしまうことが防止される。
既設杭を地中から引き抜きにくい場合には、主軸の先端側を前後左右に揺すればよい。主軸の先端側を前後左右に揺することにより、既設杭の周囲の土が緩み、既設杭を引き抜きやすくなる。
【００１０】
請求項２の考案に係る既設杭の引き抜き器具は、請求項１に記載の既設杭の引き抜き器具であって、前記滑り止めが、引き抜こうとする既設杭の表面に食い込み可能な突出体である。
引き抜き部から既設杭に上向きの力を加えるために、主軸の末端側を押し下げると、既設杭の表面に当接している突出体が、既設杭の表面に食い込む。既設杭の表面に食い込んだ突出体が、第１の当接部と第２の当接部との間で既設杭が滑ってしまうことを防止する。
例えば、１個あるいは複数個の爪により突出体を形成することができる。また、多角形体の頂点を突出体としてもよいし、多面体の辺を突出体としてもよい。
【００１１】
請求項３の考案に係る既設杭の引き抜き器具は、請求項１に記載の既設杭の引き抜き器具であって、前記滑り止めが、引き抜こうとする既設杭の表面を押圧可能な押圧体である。
引き抜き部から既設杭の上向きの力を加えるために、主軸の末端側を押し下げると、押圧体が既設杭の表面にしっかりと押し当てられる。そして、押圧体と既設杭の表面との間に摩擦力が生じ、第１の当接部と第２の当接部との間で既設杭が滑ってしまうことが防止される。
例えば、押圧体の表面に凹凸や刻み目を形成することにより、押圧体と既設杭の表面との間における静止摩擦係数が大きくなる。ゴム等の弾性体により押圧体を形成すれば、既設杭の表面に傷がつくことを防止できるし、押圧体が変形して、押圧体と既設杭との接触面積が大きくなる。
【００１２】
請求項４の考案に係る既設杭の引き抜き器具は、請求項１に記載の既設杭の引き抜き器具であって、前記第１の当接部と前記第２の当接部とが、それぞれ滑り止めを備えており、一方の滑り止めが、引き抜こうとする既設杭の表面に食い込み可能な突出体であり、他方の滑り止めが、引き抜こうとする既設杭の表面を押圧可能な押圧体である。
突出体が引き抜こうとする既設杭の表面に食い込むとともに、押圧体と既設杭の表面との間に摩擦力が生じ、第１の当接部と第２の当接部との間で既設杭が滑ってしまうことが防止される。
【００１３】
請求項５の考案に係る既設杭の引き抜き器具は、請求項１から請求項４のうちのいずれかの請求項に記載の既設杭の引き抜き器具であって、前記脚が、その末端側に車輪を備えている。
引き抜き部から既設杭に上向きの力を加えるために、主軸の末端側を押し下げると、主軸の傾きに応じて、脚の付け根部分と引き抜こうとする既設杭との水平距離が変化する。この水平距離の変化に伴って、脚の末端の車輪が地面の上を動き、引き抜き部から既設杭に働く横向きの力を逃すことができ、既設杭に横向きの力が加わることを防止できる。したがって、既設杭をまっすぐ上向き（すなわち、既設杭の軸方向の上向き）に引き抜くことができる。また、既設杭に横向きの力が働くことが防止されるので、既設杭を引き抜く際に、既設杭が途中で折れることも防止される。
【００１４】
請求項６の考案に係る既設杭の引き抜き器具は、請求項１から請求項５のうちのいずれかの請求項に記載の既設杭の引き抜き器具であって、前記主軸が、その末端側に操作レバーを備えており、連結部材が、前記引き抜き部を引き寄せ可能又は押し出し可能に、前記操作レバーと、前記引き抜き部の前記第１の当接部側部分と、を連結している。
操作レバーを操作して、連結部材を引き寄せたり押し出したりすると、引き抜き部が、引き抜き部の第１の当接部側部分の軸止位置を中心として鉛直面内を回動する。引き抜き部が回動することにより、既設杭と第１の当接部と第２の当接部との位置関係を容易に調整でき、既設杭を第１の当接部と第２の当接部との間に容易に入れることができる。
連結部材は、例えば、ワイヤーであっても良いし、棒状体や板状体であっても良いし、ワイヤーと棒状体や板状体とを組み合わせたものであっても良い。また、連結部材をなす棒状体や板状体は単体であっても良いし、複数の棒状体や板状体を屈曲可能に連結したものであっても良い。
【考案の効果】
【００１５】
上記のような既設杭の引き抜き器具であるので、既設の杭を地中から簡単に引き抜くことができ、誰もが簡単に操作可能である既設杭の引き抜き器具を提供できる。
【図面の簡単な説明】
【００１６】
【図１】第１の実施の形態に係る既設杭の引き抜き器具の側面図である。
【図２】第１の実施の形態に係る既設杭の引き抜き器具の上面図である。
【図３】第１の実施の形態に係る既設杭の引き抜き器具の使用方法の説明図である。
【図４】第２の実施の形態に係る既設杭の引き抜き器具の側面図である。
【図５】第２の実施の形態に係る既設杭の引き抜き器具の上面図である。
【考案を実施するための形態】
【００１７】
本考案の第１の実施の形態を図１から図３を参照しつつ説明する。
図１及び図２に示すように、引き抜き器具１Ａは、主軸１０、引き抜き部２０Ａ、脚５０を有する。
主軸１０は、細長い棒状体であり、その末端側にハンドル１２を備えている。引き抜き器具１Ａを上方から見ると、ハンドル１２が、主軸１０の末端側にＴの字状に形成されている。ハンドル１２は、操作レバー１４を備えている。操作レバー１４には後述するワイヤー５４の末端が接続されている。
【００１８】
主軸１０の中間部の位置Ｐ２には１本の脚５０が取り付けられている。脚５０は、その末端側に車輪５２を回転自在に備えている。脚５０の中心軸線と主軸１０の中心軸線とを含む仮想面を鉛直面と呼ぶこととする。
主軸１０は、先端側にプーリー１６Ａを備え、末端側にプーリー１６Ｂを備えている。
主軸１０は、その先端側に、引き抜き部２０Ａを有する。引き抜き部２０Ａは、金属製の接続片２２と、Ｕの字状の金属棒３０Ａとを有する。接続片２２は長方形の金属板である。接続片２２の面は、鉛直面と平行であり、接続片２２の一方の短辺２６側部分が、主軸１０の先端部分に回動可能に軸止されている。接続片２２が主軸１０に軸止されている位置が軸止位置Ｐ１である。
【００１９】
金属棒３０Ａにおいて、Ｕの字の２本の脚部分のうちの一方が、第１の当接部３２Ａの一部をなし、他方が第２の当接部３８Ａをなしている。第１の当接部３２ＡをなすＵの字の脚部分は、接続片２２の短辺２６と反対側の短辺２７の下端に、溶接により固定されている。引き抜き器具１Ａを側方から見ると、接続片２２の長辺と金属棒３０Ａとが平行になっている。金属棒３０Ａにおける第１の当接部３２Ａと第２の当接部３８Ａとが、鉛直面に対して垂直に交わっている。
【００２０】
接続片２２の面上において、中央よりも短辺２７側の位置に、小突起２４が形成されている。接続片２２が主軸１０の先端側で回動する際、小突起２４は、主軸１０と干渉しあわない位置にある。小突起２４にはワイヤー５４の先端が接続されている。ワイヤー５４の途中が、プーリー１６Ａとプーリー１６Ｂに架かっている。ワイヤー５４が小突起２４と操作レバー１４とを接続しており、このワイヤー５４が連結部材をなしている。
【００２１】
操作レバー１４を握ることにより、ワイヤー５４が主軸１０の末端側に引っ張られる構成となっている。そして、ワイヤー５４を引っ張ることにより、接続片２２と金属棒３０Ａとが、接続片２２の軸止位置Ｐ１を中心として主軸１０の先端側で鉛直面内を回動する構成となっている。操作レバー１４を開放した状態にあっては、主軸１０の先端側において、第２の当接部３８Ａの位置は、第１の当接部３２Ａの位置よりも低い。
【００２２】
引き抜き器具１Ａを側方から見ると、接続片２２の短辺２７の上側の頂点２８が、滑り止め４４Ａとしての突出体をなしている。滑り止め４４Ａは、第１の当接部３２Ａの一部を形成しており、第２の当接部３８Ａと対向している。
第２の当接部３８Ａ上には、滑り止め４４Ｂが取り付けられている。滑り止め４４Ｂは、表面に刻み目を設けた金属片であり、押圧体をなし、第１の当接部３２Ａと対向している。
【００２３】
引き抜き器具１Ａは上記のように構成されており、次に、引き抜き器具１Ａの作用について図３を参照しつつ説明する。
図３（ｉ）に示すように、１本の杭が地中に打設されており、この杭が引き抜き器具１Ａを用いて引き抜こうとする既設杭６０である。
作業者は、引き抜き器具１Ａを既設杭６０に近づけ、操作レバー１４を握り、ワイヤー５４を引っ張る。ワイヤー５４を引っ張ると、引き抜き部２０Ａが主軸１０の先端側において、接続片２２の軸止位置Ｐ１を中心として回動する。引き抜き部２０Ａが回動する向きは、図３において時計回りの向きである。作業者は、操作レバー１４の握り具合を調整して、金属棒３０ＡのＵの字の２本の脚部分をともに地面から同じ高さにする。そして、この状態を保ったまま、既設杭６０を第１の当接部３２Ａと第２の当接部３８Ａとの間に入れる。
【００２４】
既設杭６０が第１の当接部３２Ａと第２の当接部３８Ａとの間に入ったら、作業者は、引き抜き器具１Ａを既設杭６０側に押し出し、第１の当接部３２Ａを既設杭６０に押し当てる。次いで、作業者は、操作レバー１４を開放する。操作レバー１４を開放するとワイヤー５４が緩み、引き抜き部２０Ａが接続片２２の軸止位置Ｐ１を中心として回動する。このとき、引き抜き部２０Ａが回動する向きは、図３において反時計回りの向きである。そして、第１の当接部３２Ａの滑り止め４４Ａが既設杭６０の手前側の面に当接させ、第２の当接部３８Ａの滑り止め４４Ｂが既設杭６０の後ろ側の面に当接させる（図３（ｉｉ）を参照）。
【００２５】
滑り止め４４Ａと滑り止め４４Ｂが既設杭６０に当接したら、作業者はそのままハンドル１２を下方に押し下げる。ハンドル１２を下方に少し押し下げると、接続片２２の軸止位置Ｐ１が上方へ動き、引き抜き部２０Ａが接続片２２の軸止位置Ｐ１を中心として回動しようとする。このとき、引き抜き部２０Ａが回動しようとする向きは、図３において反時計回りの向きである。そして、滑り止め４４Ａの突出体が既設杭６０の表面に食い込む。同時に、滑り止め４４Ｂが既設杭６０の表面にしっかりと押し当てられる。既設杭６０は、第１の当接部３２Ａと第２の当接部３８Ａとの間にしっかりと挟まれる。
【００２６】
作業者はそのままハンドル１２をさらに下方に押し下げる。既設杭６０には、脚５０の付け根位置Ｐ２を支点として、鉛直方向上向き（すなわち、既設杭６０の軸方向上向き）の力が第１の当接部３２Ａと第２の当接部３８Ａとから加わる。作業者は、既設杭６０に鉛直方向上向きの力を加えることにより、既設杭６０を地中から引き抜くことができる。
作業者がハンドル１２を下方に押し下げるにつれて、脚５０の付け根位置Ｐ２と既設杭６０との水平距離Ｌが変化し、これに伴って車輪５２が動く。車輪５２が動くことにより、既設杭６０に働く横向きの力を逃すことができる。そして、常に鉛直方向上向きの力を既設杭６０に加えることができ、既設杭６０に横向きの力が働くことを防止できる。したがって、既設杭６０を途中から折ったりすることなく地中から引き抜くことができる。
【００２７】
次に、本考案の第２の実施の形態を図４及び図５を参照しつつ説明する。第１の実施の形態における構成と同じものについては同じ符号を付し、重複する説明を省略する。
図４及び図５に示すように、第２の実施の形態に係る引き抜き器具１Ｂは、その引き抜き部２０Ｂの構成が引き抜き器具１Ａの引き抜き部２０Ａの構成と異なるだけであり、引き抜き器具１Ｂの他の構成は引き抜き器具１Ａの構成と同じである。
【００２８】
引き抜き部２０Ｂが、主軸１０の先端側に取り付けられている。引き抜き部２０Ｂは、金属製の接続片２２、コの字状の金属棒３０Ｂ、第１の当接部３２Ｂ、第２の当接部３８Ｂを有する。
金属棒３０Ｂにおいて、コの字の２本の脚部分のうちの一方が、接続片２２の短辺２６とは反対側部分に、溶接により固定されている。
【００２９】
第１の当接部３２Ｂと第２の当接部３８Ｂは、それぞれ縦長の円筒を縦方向に切り割った形状をなし、円弧の一部をなす弧形の断面が縦方向に連続している。第１の当接部３２Ｂの内側に窪んだ内面３４には、押圧体としてゴム板４６が貼られており、このゴム板４６が滑り止め４４Ｃをなす。同様に、第２の当接部３８Ｂの内側に窪んだ内面４０にも、押圧体としてゴム板４６が貼られており、このゴム板４６が滑り止め４４Ｄをなす。
第１の当接部３２Ｂの外面３６が、金属棒３０Ｂのコの字の２本の脚部分のうちの接続片２２側の脚部分３１ａの先端に軸止されている。第１の当接部３２Ｂは、脚部分３１ａを中心として鉛直面内を回動可能に構成されている。脚部分３１ａの先端が第１の当接部３２Ｂの軸止位置Ｐ３をなす。
【００３０】
第２の当接部３８Ｂの外面４２が、金属棒３０Ｂのコの字の２本の脚部分のうちの接続片２２と反対側の脚部分３１ｂの先端に軸止されている。第２の当接部３８Ｂは、脚部分３１ｂを中心として鉛直面内を回動可能に構成されている。脚部分３１ｂの先端が第２の当接部３８Ｂの軸止位置Ｐ４をなす。
第１の当接部３２Ｂと第２の当接部３８Ｂの縦方向は、鉛直面と平行である。また、引き抜き器具１Ｂを側方から見ると、第１の当接部３２Ｂの軸止位置Ｐ３は、第１の当接部３２Ｂの重心の位置よりも高く、第２の当接部３８Ｂの軸止位置Ｐ４は、第２の当接部３８Ｂの重心の位置よりも高い。
【００３１】
次に、引き抜き器具１Ｂの作用を説明する。基本的に、引き抜き器具１Ｂの作用は引き抜き器具１Ａの作用と同様である。
引き抜き器具１Ｂを用いて既設杭を引き抜こうとする場合、作業者は、引き抜き器具１Ｂを既設杭に近づけ、操作レバー１４を操作し、金属棒３０Ｂの脚部分３１ａと脚部分３１ｂとを同じ高さにする。そして、既設杭を第１の当接部３２Ｂと第２の当接部３８Ｂとの間に入れる。
第１の当接部３２Ｂの重心が軸止位置Ｐ３よりも低く、第２の当接部３８Ｂの重心が軸止位置Ｐ４よりも低いので、常に、第１の当接部３２Ｂと第２の当接部３８Ｂの縦方向は鉛直方向と一致している。このため、作業者は、既設杭を第１の当接部３２Ｂと第２の当接部３８Ｂとの間に容易に入れることができる。
【００３２】
既設杭６０が第１の当接部３２Ｂと第２の当接部３８Ｂとの間に入ったら、作業者は、引き抜き器具１Ｂを既設杭６０側に押し出し、第１の当接部３２Ｂの滑り止め４４Ｃを既設杭６０の手前側の面に押し当てる。次いで、作業者が、操作レバー１４を開放してワイヤー５４を緩めると、引き抜き部２０Ｂが接続片２２の軸止位置Ｐ１を中心として回動する。このとき、引き抜き部２０Ｂが回動する向きは、図４において反時計回りの向きである。そして、第１の当接部３２Ｂの滑り止め４４Ｃを既設杭の手前側の面に当接させ、第２の当接部３８Ｂの滑り止め４４Ｄを既設杭の後ろ側の面に当接させる。
【００３３】
作業者が、そのままハンドル１２を下方に少し押し下げると、接続片２２の軸止位置Ｐ１が上方へ動き、引き抜き部２０Ｂが接続片２２の軸止位置Ｐ１を中心として回動しようとする。このとき、引き抜き部２０Ｂが回動しようとする向きは、図４において反時計回りの向きである。また、第１の当接部３２Ｂが軸止位置Ｐ３を中心として鉛直面内を回動し、第２の当接部３８Ｂが軸止位置Ｐ４を中心として鉛直面内を回動する。そして、既設杭の表面が、滑り止め４４Ｃと滑り止め４４Ｄとにしっかりと押し当てられて、既設杭は、第１の当接部３２Ｂと第２の当接部３８Ｂとの間に密着してしっかりと挟まれる。
作業者が、そのままハンドル１２をさらに下方に押し下げれば、鉛直方向上向き（すなわち、既設杭の軸方向上向き）の力が、既設杭に第１の当接部３２Ｂと第２の当接部３８Ｂとから加わり、既設杭が地中から引き抜かれる。
【００３４】
なお、作業者がハンドル１２を下方に押し下げるにつれて、車輪５２が動くとともに、引き抜き部２０Ｂが接続片２２の軸止位置Ｐ１を中心として鉛直面内を回動し、第１の当接部３２Ｂが軸止位置Ｐ３を中心として鉛直面内を回動し、第２の当接部３８Ｂが軸止位置Ｐ４を中心として鉛直面内を回動する。この結果、脚５０の付け根位置Ｐ２と既設杭６０との水平距離が変化しても、既設杭６０に働く横向きの力を逃すことができる。また、既設杭の表面は、滑り止め４４Ｃと滑り止め４４Ｄとにしっかりと押し当てられたままとなる。したがって、常に鉛直方向上向きの力を既設杭６０に加えることができ、既設杭６０に横向きの力が働くことを防止できる。そして、既設杭６０を途中から折ったりすることなく地中から引き抜くことができる。
地中から引き抜かれた既設杭の表面には、滑り止め４４Ｃと滑り止め４４Ｄとが押し当てられるだけなので、引き抜き器具１Ｂにより既設杭に傷がつくことを防止できる。
【符号の説明】
【００３５】
１Ａ、１Ｂ    引き抜き器具
１０    主軸
１２    ハンドル
１４    操作レバー
１６Ａ、１６Ｂ    プーリー
２０Ａ、２０Ｂ    引き抜き部
２２    接続片
２４    小突起
２６    接続片の一方の短辺
２８    接続片の頂点
３０Ａ、３０Ｂ    金属棒
３１ａ、３１ｂ    コの字形の金属棒の脚部分
３２Ａ、３２Ｂ    第１の当接部
３４    第１の当接部の内面
３６    第１の当接部の外面
３８Ａ、３８Ｂ    第２の当接部
４０    第２の当接部の内面
４２    第２の当接部の外面
４４Ａ、４４Ｂ、４４Ｃ、４４Ｄ    滑り止め
４６    ゴム板
５０    脚
５２    車輪
５４    ワイヤー
６０    既設杭
Ｐ１    接続片の軸止位置
Ｐ２    脚の付け根位置
Ｐ３    第１の当接部の軸止位置
Ｐ４    第２の当接部の軸止位置
【図１】
0003152843.tif 000003
【図２】
0003152843.tif 000004
【図３】
0003152843.tif 000005
【図４】
0003152843.tif 000006
【図５】
0003152843.tif 000007